【手続補正書】
【提出日】平成19年10月5日(2007.10.5)
【手続補正１】
【補正対象書類名】明細書
【補正対象項目名】発明の名称
【補正方法】変更
【補正の内容】
【発明の名称】画像表示装置及び方法、並びに記憶媒体
【手続補正２】
【補正対象書類名】明細書
【補正対象項目名】特許請求の範囲
【補正方法】変更
【補正の内容】
【特許請求の範囲】
【請求項１】  制御信号を入力する制御信号入力手段と、外部信号源からの画像信号を入力する画像信号入力手段と、前記入力された画像信号の処理を行う画像信号処理手段と、前記画像信号処理手段により処理された画像信号に基づいて画像を表示する画像表示手段と備える画像表示装置において、前記外部信号源に操作信号を出力する操作信号出力手段と、前記制御信号入力手段からの制御信号により書き換え可能な表示画面情報を記憶するメモリ手段と、前記メモリ手段に記憶された表示画面情報と前記画像信号処理手段により処理された画像信号とを合成する画像合成手段と、前記画像合成手段における前記メモリ手段に記憶された表示画面情報の表示領域と前記画像信号処理手段により処理された画像の表示領域の各領域の座標に対応して、前記制御信号入力手段からの制御信号を前記メモリ手段に記憶された表示画面情報の書き換え用信号として用いるか、又は前記操作信号出力手段から出力される操作信号として用いるかの選択切替を行う制御信号切替手段を有することを特徴とする画像表示装置。
【請求項２】  前記画像信号処理手段は、前記入力された画像信号の解像度を変換する解像度変換手段を備えることを特徴とする請求項１記載の画像表示装置。
【請求項３】  前記解像度変換手段により解像度が変換された画像信号を記憶する他のメモリ手段を有し、前記画像合成手段は、前記メモリ手段に記憶された表示画面情報と前記他のメモリ手段に記憶された画像信号とを合成することを特徴とする請求項２記載の画像表示装置。
【請求項４】  前記制御信号出力手段は、前記制御信号切替手段に前記制御信号を送出する際に、前記表示画面上の表示座標から前記外部信号源の解像度変換前の座標に変換するように構成されていることを特徴とする請求項１乃至３のいずれか１項に記載の画像表示装置。
【請求項５】  前記画像合成手段により合成された画像情報を記憶するさらに他のメモリ手段を有することを特徴とする請求項１乃至４のいずれか１項に記載の画像表示装置。
【請求項６】  前記画像合成手段により合成された画像情報を外部機器に転送する転送手段を有することを特徴とする請求項１乃至５のいずれか１項に記載の画像表示装置。
【請求項７】  前記制御信号入力手段からの制御信号により、前記画像合成手段により合成された画像上で、前記メモリ手段に記憶された表示画面情報の表示領域と前記画像信号処理手段により処理された画像信号の表示領域の各境界を変更することを特徴とする請求項１乃至６のいずれか１項に記載の画像表示装置。
【請求項８】  前記制御入力手段は、画面上に表示されたカーソルと連動した入力装置を備えることを特徴とする請求項１乃至７のいずれか１項に記載の画像表示装置。
【請求項９】  前記入力装置は、前記画像表示手段の画面上を仮想描画するデジタイザ式ペンであることを特徴とする請求項８記載の画像表示装置。
【請求項１０】  前記画像表示手段は、反射型又は透過型の液晶表示装置を利用した投射型のディスプレイであることを特徴とする請求項１乃至９のいずれか１項に記載の画像表示装置。
【請求項１１】  前記画像表示手段は、投射型のミラーデバイスを利用した投射型のディスプレイであることを特徴とする請求項１乃至９のいずれか１項に記載の画像表示装置。
【請求項１２】  前記画像表示手段は自発光型のディスプレイであることを特徴とする請求項１乃至９のいずれか１項に記載の画像表示装置。
【請求項１３】  前記画像表示手段はプラズマディスプレイであることを特徴とする請求項１乃至９のいずれか１項に記載の画像表示装置。
【請求項１４】  前記画像表示手段はEL素子で構成されることを特徴とする請求項１乃至９のいずれか１項に記載の画像表示装置。
【請求項１５】  前記画像表示手段はLEDで構成されることを特徴とする請求項１乃至９のいずれか１項に記載の画像表示装置。
【請求項１６】前記画像表示手段は直視型の液晶で構成されることを特徴とする請求項１乃至９のいずれか１項に記載の画像表示装置。
【請求項１７】  前記画像表示手段はホワイトボード機能を有した大型ディスプレイであることを特徴とする請求項１乃至１６のいずれか１項に記載の画像表示装置。
【請求項１８】  請求項１乃至１５のいずれか１項に記載の画像表示装置を用いたことを特徴とする情報処理装置。
【請求項１９】  制御信号を入力する制御信号入力工程と、外部信号源からの画像信号を入力する画像信号入力工程と、前記入力された画像信号の処理を行う画像信号処理工程と、前記画像信号処理工程で処理された画像信号に基づいて画像を表示する画像表示工程とを有する画像表示方法において、前記外部信号源に操作信号を出力する操作信号出力工程と、前記制御信号入力工程で入力された制御信号により書き換え可能な表示画面情報を記憶する記憶工程と、前記記憶工程で記憶された表示画面情報と前記画像信号処理工程で処理された画像信号とを合成する画像合成工程と、前記画像合成工程における前記記憶工程で記憶された表示画面情報の表示領域と前記画像処理工程で処理された画像の表示領域の各領域の座標に対応して、前記制御信号入力工程で入力された制御信号を前記メモリ工程で記憶された表示画面情報の書き換え用信号として用いるか、又は及び前記操作信号出力工程で出力される操作信号として用いるかの選択切替を行う制御信号切替工程を有することを特徴とする画像表示方法。
【請求項２０】  前記画像信号処理工程は、前記入力された画像信号の解像度を変換する解像度変換工程から成ることを特徴とする請求項１９記載の画像表示方法。
【請求項２１】  前記解像度変換工程で解像度が変換された画像信号を記憶する他の記憶工程を有し、前記画像合成工程は、前記記憶工程で記憶された表示画面情報と前記他の記憶工程で記憶された画像信号とを合成することを特徴とする請求項２０記載の画像表示方法。
【請求項２２】  前記制御信号出力工程は、前記制御信号切替工程で前記制御信号を送出する際に、前記表示画面上の表示座標から前記外部信号源の解像度変換前の座標に変換することを特徴とする請求項１９乃至２１のいずれか１項に記載の画像表示方法。
【請求項２３】  前記画像合成工程で合成された画像情報を記憶するさらに他の記憶工程を有することを特徴とする請求項１９乃至２２のいずれか１項に記載の画像表示方法。
【請求項２４】  前記画像合成工程で合成された画像情報を外部機器に転送する転送工程を有することを特徴とする請求項１９乃至２３のいずれか１項に記載の画像表示方法。
【請求項２５】  前記制御信号入力工程で入力された制御信号により、前記画像合成工程で合成された画像上で、前記記憶工程で記憶された表示画面情報の表示領域と前記画像処理工程により処理された画像信号の表示領域の各境界を変更することを特徴とする請求項１９乃至２４のいずれか１項に記載の画像表示方法。
【請求項２６】  画像形成方法をコンピュータに実行させるプログラムを記憶した読み出し可能な記憶媒体であって、前記画像表示方法は、制御信号を入力する制御信号入力工程と、外部信号源からの画像信号を入力する画像信号入力工程と、前記入力された画像信号の処理を行う画像信号処理工程と、前記画像信号処理工程で処理された画像信号に基づいて画像を表示する画像表示工程と有する画像表示方法において、前記外部信号源に操作信号を出力する操作信号出力工程と、前記制御信号入力工程で入力された制御信号により書き換え可能な表示画面情報を記憶する記憶工程と、前記記憶工程で記憶された表示画面情報と前記画像信号処理工程で処理された画像信号とを合成する画像合成工程と、前記画像合成工程における前記メモリ工程で記憶された表示画面情報の表示領域と前記画像信号処理工程で処理された画像の表示領域の各領域の座標に対応して、前記制御信号入力工程で入力された制御信号を前記記憶工程で記憶された表示画面情報の書き換え用信号として用いるか、又は前記操作信号出力工程で出力される操作信号として用いるかの選択切替を行う制御信号切替工程を有することを特徴とする記憶媒体。
【請求項２７】  前記画像信号処理工程は、前記入力された画像信号の解像度を変換する解像度変換モジュールから成ることを特徴とする請求項２６記載の記憶媒体。
【請求項２８】  前記解像度変換工程で解像度が変換された画像信号を記憶する他の記憶工程を有し、前記画像合成工程は、前記記憶工程で記憶された表示画面情報と前記他の記憶工程で記憶された画像信号とを合成することを特徴とする請求項２７記載の記憶媒体。
【請求項２９】  前記制御信号出力工程は、前記制御信号切替工程に前記制御信号を送出する際に、前記表示画面上の表示座標から前記外部信号源の解像度変換前の座標に変換するように構成されていることを特徴とする請求項２６乃至２８のいずれか１項に記載の記憶媒体。
【請求項３０】  前記画像合成工程で合成された画像情報を記憶するさらに他の記憶工程を有することを特徴とする請求項２６乃至２９のいずれか１項に記載の記憶媒体。
【請求項３１】  前記画像合成工程で合成された画像情報を外部機器に転送する転送工程を有することを特徴とする請求項２６乃至３０のいずれか１項に記載の記憶媒体。
【請求項３２】  前記制御信号入力工程で入力された制御信号により、前記画像合成工程で合成された画像上で、前記記憶工程で記憶された表示画面情報の表示領域と前記画像信号処理工程で処理された画像の表示領域の各境界を変更することを特徴とする請求項２６乃至３１のいずれか１項に記載の記憶媒体。
【手続補正３】
【補正対象書類名】明細書
【補正対象項目名】０００１
【補正方法】変更
【補正の内容】
【０００１】
【発明の属する技術分野】
本発明は、画像表示装置及び方法、並びに記憶媒体に関する。
【手続補正４】
【補正対象書類名】明細書
【補正対象項目名】０００８
【補正方法】変更
【補正の内容】
【０００８】
図９において、７０１は、PCであり、７０２は、背面投射型の大画面ディスプレイであり、図８におけるスクリーン６０４を有する。また、７０４は、デジタイザ式ペン６０２の描画信号のデジタイザ検出手段である。７０５は、PCの画像信号の出力端子であり、７０６は、デジタイザ検出手段７０４からの信号をPCの制御信号として入力するための制御信号入力端子としてのマウス入力端子である。また、７０７は、このPCのオペレーティングシステム（OS）(1)を示しており、７０８は、このPC上で用いられるアプリケーションソフトの１つであるアプリケーション (1)、また７０９は同じくPC７０１上で用いられるアプリケーションソフトの１つであり、特にPC７０１上でホワイトボード機能を実現するためのホワイトボードソフト(1)を示している。７０７〜７０９は、ソフトとしてPC７０１の媒体中にプログラムとして存在するのであるが、ここでは擬似的にPC７０１上で動作していることを示すため記載している。
【手続補正５】
【補正対象書類名】明細書
【補正対象項目名】０００９
【補正方法】変更
【補正の内容】
【０００９】
７１０は、ディスプレイ７０２の画像信号入力端子であり、７１１は、入力信号がアナログ信号であれば、入力した画像信号に対して所定の振幅やDCレベルの調整や、デジタル信号への変換を行い、また、デジタル信号であれば、所定の信号レベルへの変換や、カラーフォーマットへの変換等の信号処理を行う入力系画像信号処理部である。７１２は、画像信号の解像度やフレームレートを変換するなどを行う解像度変換部、７１３は、画像表示部を構成するデバイスに適したガンマ処理や分割駆動などの信号処理を行う出力系画像信号処理部、７１４は、液晶表示装置、CRT管、プラズマディスプレイパネル（PDP）などのデバイスとその駆動回路や、光源と投射光学系からなる画像表示部であり、図８におけるスクリーン６０４の相当する。
【手続補正６】
【補正対象書類名】明細書
【補正対象項目名】００１２
【補正方法】変更
【補正の内容】
【００１２】
本発明の目的は、ホワイトボード機能の操作性を向上させることができ、加えて同一画面上で異なる機器を一元的に操作することができる画像表示装置及び方法、並びに記憶媒体を提供することにある。
【手続補正７】
【補正対象書類名】明細書
【補正対象項目名】００１３
【補正方法】変更
【補正の内容】
【００１３】
【課題を解決するための手段】
上記目的を達成するために、請求項１記載の画像表示装置は、制御信号を入力する制御信号入力手段と、外部信号源からの画像信号を入力する画像信号入力手段と、前記入力された画像信号の処理を行う画像信号処理手段と、前記画像信号処理手段により処理された画像信号に基づいて画像を表示する画像表示手段と備える画像表示装置において、前記外部信号源に操作信号を出力する操作信号出力手段と、前記制御信号入力手段からの制御信号により書き換え可能な表示画面情報を記憶するメモリ手段と、前記メモリ手段に記憶された表示画面情報と前記画像信号処理手段により処理された画像信号とを合成する画像合成手段と、前記画像合成手段における前記メモリ手段に記憶された表示画面情報の表示領域と前記画像信号処理手段により処理された画像の表示領域の各領域の座標に対応して、前記制御信号入力手段からの制御信号を前記メモリ手段に記憶された表示画面情報の書き換え用信号として用いるか、又は前記操作信号出力手段から出力される操作信号として用いるかの選択切替を行う制御信号切替手段を有することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
上記目的を達成するために、請求項１９記載の画像表示方法は、制御信号を入力する制御信号入力工程と、外部信号源からの画像信号を入力する画像信号入力工程と、前記入力された画像信号の処理を行う画像信号処理工程と、前記画像信号処理工程で処理された画像信号に基づいて画像を表示する画像表示工程とを有する画像表示方法において、前記外部信号源に操作信号を出力する操作信号出力工程と、前記制御信号入力工程で入力された制御信号により書き換え可能な表示画面情報を記憶する記憶工程と、前記記憶工程で記憶された表示画面情報と前記画像信号処理工程で処理された画像信号とを合成する画像合成工程と、前記画像合成工程における前記記憶工程で記憶された表示画面情報の表示領域と前記画像処理工程で処理された画像の表示領域の各領域の座標に対応して、前記制御信号入力工程で入力された制御信号を前記メモリ工程で記憶された表示画面情報の書き換え用信号として用いるか、又は及び前記操作信号出力工程で出力される操作信号として用いるかの選択切替を行う制御信号切替工程を有することを特徴とする。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】変更
【補正の内容】
【００３８】
上記目的を達成するために、請求項２６記載の記憶媒体は、画像形成方法をコンピュータに実行させるプログラムを記憶した読み出し可能な記憶媒体であって、前記画像表示方法は、制御信号を入力する制御信号入力工程と、外部信号源からの画像信号を入力する画像信号入力工程と、前記入力された画像信号の処理を行う画像信号処理工程と、前記画像信号処理工程で処理された画像信号に基づいて画像を表示する画像表示工程と有する画像表示方法において、前記外部信号源に操作信号を出力する操作信号出力工程と、前記制御信号入力工程で入力された制御信号により書き換え可能な表示画面情報を記憶する記憶工程と、前記記憶工程で記憶された表示画面情報と前記画像信号処理工程で処理された画像信号とを合成する画像合成工程と、前記画像合成工程における前記メモリ工程で記憶された表示画面情報の表示領域と前記画像信号処理工程で処理された画像の表示領域の各領域の座標に対応して、前記制御信号入力工程で入力された制御信号を前記記憶工程で記憶された表示画面情報の書き換え用信号として用いるか、又は前記操作信号出力工程で出力される操作信号として用いるかの選択切替を行う制御信号切替工程を有することを特徴とする。
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００５０
【補正方法】変更
【補正の内容】
【００５０】
図２において、２０１は、画像信号の外部信号源としてのパーソナルコンピュータ（以下、「PC」と略称する。）であり、２０２は、ホワイトボード機能を有した画像表示装置であり、背面投射型の大画面ディスプレイから成る。また、２０３は、デジタイザ式ペン１０５の描画信号を検出して検出信号を入力する制御信号入力手段である（以下、単に「制御入力手段２０３」ともいう）。
【手続補正４０】
【補正対象書類名】明細書
【補正対象項目名】００５４
【補正方法】変更
【補正の内容】
【００５４】
２１１は、画像表示装置２０２に設けたホワイトボード機能描画部２１７からの描画画面信号と、端子２０８から入力し解像度変換等の信号処理が行われた外部信号源からの画像信号を切替え及び画面合成を行う画像合成部である。
【手続補正４１】
【補正対象書類名】明細書
【補正対象項目名】００５５
【補正方法】変更
【補正の内容】
【００５５】
２１２は、画像表示部２１３を構成するデバイスに適したガンマ処理や分割駆動などの信号処理を行う出力系画像信号処理部（以下、単に「出力系画像処理部」ともいう）、２１３は、反射型又は透過型の液晶表示装置、直視型の液晶表示装置、CRT管、レーザー等の自発光型のディスプレイ、プラズマディスプレイパネル（PDP）、EL素子、LED、投射型のミラーデバイスなどのデバイスとその駆動回路からなる画像表示部である。
【手続補正４２】
【補正対象書類名】明細書
【補正対象項目名】００６３
【補正方法】変更
【補正の内容】
【００６３】
USB変換部２１５及びUSB変換部２２１は別体で示しているが、実際にはHUB機能付きのUSB用の半導体チップなど一体である場合が多く、ここでは、制御信号切替部２１６を介さずに、直接USB変換部２１５からUSB変換部２２１にUSBデータが転送される場合もある。
【手続補正４３】
【補正対象書類名】明細書
【補正対象項目名】００６５
【補正方法】変更
【補正の内容】
【００６５】
このように、画像表示装置２０２の画像処理部は、画像信号が入力される入力系画像信号処理部２０９とは別に、制御入力手段２０３からの制御信号を用いて描画を行うホワイトボード機能描画部２１７と、このホワイトボード機能描画部２１９用の記憶手段としてのメモリ部２１８とをもち、入力した画像信号とホワイトボード機能による描画画像とを切替又は合成表示する機能を有した構成とする。また、表示画面上のメニュー表示や画像表示装置２０２本体に用意されたボタンや制御入力手段２０３に付属したボタン等の指示、あるいは制御入力手段２０３で指定した表示画面上の位置情報に従って、制御入力手段２０３からの制御信号をホワイトボード機能の描画用に用いるか、前記合成表示した画面の表示領域の変更の指示に用いるか、あるいは接続されたPC２０１の制御信号として出力するかを制御切替部２１６により選択切替え可能な構成として、同一画面上で同じ制御入力手段２０３により、PC２０１上の機能と画像表示装置２０２内のホワイトボード機能の操作が行える構成とする。
【手続補正４４】
【補正対象書類名】明細書
【補正対象項目名】００８８
【補正方法】変更
【補正の内容】
【００８８】
図４において、４０１は外部信号源としてのPCであり、４０２は、本発明の第２の実施の形態に係る画像表示装置を用いた携帯情報端末である。４０３は、携帯情報端末４０２に内蔵したデジタイザ式ペン３０４やボタン類の描画信号を検出して検出信号を入力する制御信号入力手段である（以下、単に「制御入力手段４０３」ともいう）。
【手続補正４５】
【補正対象書類名】明細書
【補正対象項目名】００９０
【補正方法】変更
【補正の内容】
【００９０】
携帯情報端末４０２において、４０８は、PC４０１からの画像信号入力端子であり、４０９は、携帯情報端末４０２とPC４０１間の制御信号の入出力端子である。４１０は、携帯情報端末４０２のCPU（中央演算装置）であり、４１１は、携帯情報端末４０２を制御するオペレーティングシステム（OS）(2)であり、４１２は、そのOS(2)４１１上で動作する携帯情報端末４０２の基本動作ソフトである。基本動作ソフトにより、携帯情報端末４０２の内部動作が管理される。たとえば、後述する入力系画像信号処理部や、メモリ制御部、デコーダ・エンコーダ部、制御IF部、出力系画像処理部（以下、「出力系画像信号処理部」ともいう）、記録媒体部などの動作を制御する。４１３は、そのOS(2)４１１上で動作するアプリケーションソフトウエアの１つであるアプリケーション(2)である。さらに、４１４は、OS(2)４１１上で動作するホワイトボード機能のアプリケーションソフトの１つであるホワイトボードソフト(2)である。４１５は、携帯情報端末４０２のメインメモリ部である。また、４１７は、携帯情報端末４０２が画像信号入力端子４０８から入力した画像フォーマットをデコードするなどの入力系画像信号処理部である。ここでは、入力画像の表示画素数を、表示部上の表示領域の画素数に解像度変換も行う。
【手続補正４６】
【補正対象書類名】明細書
【補正対象項目名】００９６
【補正方法】変更
【補正の内容】
【００９６】
第１モードとして、ステップＳ３の判別の結果、外部のPC４０１からの画像入力モードを選択しない場合は、ホワイトボードソフト(2)４１４を記録媒体部４２５から読み込み、CPU４１０上で実行する（ステップＳ４）。これにより、制御入力手段４０３から入力された座標制御信号を制御IF部４２６を介してCPU４１０上に読み込むと共に、メモリ制御部４１６がVRAM４１９内の領域(2)４２１を選択してデータ値の座標変換及び書き込みを行う（ステップＳ５）。次いで、VRAM４１９の領域(2)を選択して出力系画像処理部４２３に画像を転送し、出力に適した画像処理を行って画像表示部４２４に表示を行う（ステップＳ６）。また、領域(2)４２１の画像データは、記録媒体部４２５にファイルとして保存されるか、又はCPU４０１とメインメモリ部４１５上でパケット化されてエンコーダ・デコーダ４１８によりIEEE1394やUSBの規格にエンコードされ、PC４０１に転送可能になっている。
【手続補正４７】
【補正対象書類名】明細書
【補正対象項目名】０１０３
【補正方法】変更
【補正の内容】
【０１０３】
ステップＳ１６では、ホワイトボードソフト(2)４１４を記録媒体部４２５から読み込み、CPU４１０上で動作させる。次いで、CPU４１０は外部信号源の表示画面を取り込む指示を行い、画像入力端子４０８から入力したPC４０１の表示画面を入力系画像信号処理部４１７により適当な解像度変換を行い、その結果をVRAM４１９の領域(1)４２０に書き込み(1)を行う（ステップＳ１７）。さらに、制御入力手段４０３からの描画制御信号を、制御IF部４２６を介してCPU４０１上に読み込むと共に、メモリ制御部４１６がVRAM４１９内の領域(2)４２１を選択してデータ値の座標変換及び書き込み(2)を行う（ステップＳ１８）。
【手続補正４８】
【補正対象書類名】明細書
【補正対象項目名】０１０７
【補正方法】変更
【補正の内容】
【０１０７】
図５〜図７の処理によれば、単独のホワイトボード機能を有した携帯情報端末として動作する一方で、ネットワークやユーザーの認証を行えば、PC４０１の端末としても利用可能になり、セキュリティの無い環境（例：ホワイトボード機能）とセキュリティの確保された環境（例：PC４０１上のアプリケーション）の両者で使い分け可能となり、教育現場や会議の場での用途が拡大する。
【手続補正４９】
【補正対象書類名】明細書
【補正対象項目名】符号の説明
【補正方法】変更
【補正の内容】
【符号の説明】
２０１  ＰＣ
２０３  制御信号入力手段
２０８  画像信号入力端子
２０９  入力系画像信号処理部
２１１  画像合成部
２１３  画像表示部
２１４  制御信号入力端子
２１６  制御信号入力座標変換及び制御信号切替部
２１８  メモリ部
２２２  制御信号出力端子
【手続補正５０】
【補正対象書類名】明細書
【補正対象項目名】図２
【補正方法】変更
【補正の内容】
【図２】
2002118738.tif 000001
【手続補正５１】
【補正対象書類名】明細書
【補正対象項目名】図８
【補正方法】変更
【補正の内容】
【図８】
2002118738.tif 000002